(57)【要約】【課題】原稿上に付着したゴミが画像読み取り装置の白基準板に付着するのを防止することによって、白基準板面が汚れたり、キズが付かないため、シェーディング補正を正しく行うことができる画像読み取り装置を提供する。【解決手段】原稿の読み取り面に白基準板５を配置し、この白基準板５に光を照射してその反射光を受光センサ６で読み取り、シェーディング補正するシ−トスル−方式の画像読み取り装置において、中央に空間１４を有する原稿押さえマイラ４を設け、その上に白基準板を設けた。【選択図】        図１
2005033466.tif 000002
【特許請求の範囲】
【請求項１】
原稿の読み取り面に白基準板を配置し、この白基準板に光を照射してその反射光を受光センサで読み取り、シェーディング補正するシートスルー方式の画像読み取り装置において、中央に空間を有する原稿押さえマイラを設け、該空間部を塞ぐように原稿押さえマイラ上に白基準板を設けたことを特徴とする画像読み取り装置。
【請求項２】
原稿搬送ローラと原稿排紙ローラのニップ位置を予め原稿押さえマイラの厚さ寸法分だけＣＩＳガラス面より上側に設け、前記原稿押さえマイラの上に押えばねを設け、さらにＣＩＳ本体の下に補助ばねを設けたことを特徴とする請求項１記載の画像読み取り装置。
【請求項３】
原稿をセットし、前記白基準板を読み取ってシェーディング補正した後に、そのシェーディングデータをシステムコントロール回路のＲＡＭに格納する格納手段と、いったん格納したシェーディングデータを引き出す引き出し手段を備えており、さらに前記２種類のシェーディングデータを比較してシェーディングデータに異常が存在する場合に、瞬時にゴミと判断する制御部を備えていることを特徴とする請求項１記載の画像読み取り装置。
【発明の詳細な説明】
【０００１】
【発明の属する技術分野】
本発明は、高品質画像を確保するのに好適なＣＩＳ（密着イメージセンサ）を利用したファクシミリ・スキャナ等の画像読み取り装置に関するものである。
【０００２】
【従来の技術】
密着イメージセンサ（ＣＩＳ）を利用して原稿の画情報を読み取る装置において、原稿をＣＩＳガラス面に密着させる方式は知られている（例えば、特許文献１、２、３、４、５、６、７、８および９参照）。
【特許文献１】特許第３０２９６５６号明細書
【特許文献２】特許第３０８０４３４号明細書
【特許文献３】特開平５−０２２５９５号公報
【特許文献４】特開平５−２７６３７５号公報
【特許文献５】特開平７−１０７２８３号公報
【特許文献６】特開平９−５５８２８号公報
【特許文献７】特開平１０−４２０９８号公報
【特許文献８】特開平１１−２８９４２４号公報
【特許文献９】特開２００１−２０３８４５公報
【０００３】
【発明が解決しようとする課題】
従来、原稿の読み取り面に白基準板を配置し、この白基準板に光を照射してその反射光をセンサで読み取り、シェーディング補正を行い、その後、原稿を白基準板の上を搬送させて原稿の画情報を読み取っている。
また、ＣＩＳの照明深度がＣＩＳ本体のガラス面から０〜０．１程度であるため、白基準板に光を照射してその反射光をセンサで読み取り、シェーディング補正を行った位置、すなわちＣＩＳガラス面に対して、白基準板と原稿搬送位置（面）が同じでなければ原稿の画情報を正しく読み取ることができない。
したがって、原稿をＣＩＳガラス面に密着させる方式として特許文献１、２、３および４に見られるように、白ローラを採用しローラ部を原稿に押し付けることで原稿浮きを防止している。
しかしこのような方式では原稿に付着した描画材／消しゴムのカス／インク／修正液／紙粉が白基準板に付着したり、キズを付けたりして異常画像（白／黒スジ）を発生させてしまっている。
この問題を解決するために特許文献６、７および８に見られるように清掃部材を具備した機構や、特許文献５に見られるように駆動手段を利用した機構が考えられているが、装置が複雑化になりコスト高になる欠点がある。
ゴミが画像読み取り位置の白基準に付着することを防止できても、原稿をシェーディング補正した白基準板と同じ位置を搬送させなければ画情報を正しく読み取ることができない。
原稿に付着したゴミが白基準板に付着することを防止できても、画像読み取り装置のＣＩＳガラス面にゴミが付着してしまった場合、異常画像（白／黒スジ）を発生させてしまう可能性がある。
そこで、特許文献９では、シェーディング補正機能を利用してシェーディング異常の検出回数をカウントし、設定カウント数に達した場合に操作部でメッセージを表示させている。
そこで本発明の目的は、上記の問題点を解決するために、原稿上に付着したゴミが画像読み取り装置の白基準板に付着するのを防止することによって、白基準板面が汚れたり、キズが付かないため、シェーディング補正を正しく行うことができる画像読み取り装置を提供することにある。
【０００４】
【課題を解決するための手段】
前記の課題を解決するために、請求項１記載の発明では、原稿の読み取り面に白基準を配置し、この白基準に光を照射してその反射光を受光センサで読み取り、シェーディング補正するシートスルー方式の画像読み取り装置において、中央に空間を有する原稿押さえマイラを設け、その上に白基準を設けた画像読み取り装置を最も主要な特徴とする。
請求項２記載の発明では、原稿搬送ローラと原稿排紙ローラのニップ位置を予め原稿押さえマイラの厚さ寸法分だけＣＩＳガラス面より上側に設け、前記原稿押さえマイラの上に押えばねを設け、さらにＣＩＳ本体の下に補助ばねを設けた請求項１記載の画像読み取り装置を主要な特徴とする。
請求項３記載の発明では、原稿をセットし、前記白基準を読み取ってシェーディング補正した後に、そのシェーディングデータをシステムコントロール回路のＲＡＭに格納する手段と、いったん格納したシェーディングデータを引き出す手段を備えており、さらに前記２種類のシェーディングデータを比較してシェーディングデータに異常が存在する場合に、瞬時にゴミと判断する制御部を備えている請求項１記載の画像読み取り装置を主要な特徴とする。
【０００５】
【発明の実施の形態】
以下、図面により本発明の実施の形態を詳細に説明する。図１は画像読み取り装置の構成を示す概略断面図である。図において原稿（図示せず）が画像読み取り装置Ａにセットされると、透過型フォトセンサ等から成る原稿検知センサ１が原稿を検出し、ＣＩＳ（密着イメージセンサ）２の光源３が原稿面を照射する。
この照射光は原稿押さえマイラ４に設けられた白基準板５に反射してＣＩＳ２の受光センサ６で読み取られ、この読み取りデータに基づいてシェーディング補正が行われる。さらに、原稿は原稿搬送駆動ローラ７と原稿搬送従動ローラ８で搬送される。
搬送された原稿は、原稿押さえマイラ４の原稿案内部に沿ってＣＩＳガラス面９との間に送り込まれて通過し、原稿排紙駆動ローラ１０と原稿排紙従動ローラ１１へ送り込まれる。
原稿は、画像読み取り装置Ａにレイアウトされた原稿搬送ローラ７、８と原稿排紙ローラ１０、１１の各ニップ部で前後位置を挟まれた状態となり、原稿の搬送位置が形成される。ここで原稿押さえマイラ４は搬送されている原稿によって上方向へ押し上げられることで白基準板５にてシェーディング補正を行った位置と同じ位置で原稿の画像を読み取ることが可能となる。
原稿の画像読み取りが終了し、原稿の後端部分が原稿搬送ローラ７、８側を抜けると原稿押さえマイラ４に設けられた押さえばね１２の加圧力にて原稿押さえマイラ４はＣＩＳガラス面９へ移動する。
ここで、押えばね１２は通常は原稿押さえマイラ４をＣＩＳガラス面９へ加圧しており、原稿の搬送時に原稿搬送圧により上に押し上げられる。そのさい、ＣＩＳ２の下に取り付けられている補助ばね１３の加圧力により、ＣＩＳ２を原稿押さえマイラ４に加圧する。
【０００６】
図２は原稿押さえマイラと白基準板の構成を示す概略斜視図である。原稿押さえマイラ４の中央部に空間（開口）１４を設けて、その上に白基準板５を貼り付ける構成である。ここで、原稿押さえマイラ４の厚さは、画像読み取り装置Ａに採用するＣＩＳ２の照明深度の特性を考慮して自由に設定できる。
図３は原稿および白基準板の位置を原稿読み取り位置において示す概略構成図である。図４は原稿および白基準板の位置を白基準板読み取り位置において示す概略構成図である。
図３の原稿読み取り位置は、予め画像読み取り装置Ａにレイアウトされた原稿搬送ローラ７、８側と原稿排紙ローラ１０、１１側のニップ位置、ならびにＣＩＳ取り付け位置で設定される構成である。
原稿搬送時（原稿読み取り時）は両ローラ７、８および１０、１１のニップ位置に合わせて原稿位置が決定されることから、原稿押さえマイラ４は矢印方向へ持ち上げられる。
図４の白基準板読み取り位置は、原稿搬送ローラ７、８側と原稿排紙ローラ１０、１１側に原稿が侵入していないため、原稿押さえマイラ４に設けられた押さえばね１２の加圧力によって原稿押さえマイラ４はＣＩＳガラス面９に押し付けられている。
上記原稿読み取り位置および白基準板読み取り位置の構成より、ＣＩＳガラス面９に対して白基準板５にてシェーディング補正した位置と実際に原稿が搬送されて画像読み取りしている位置を同じ位置で設定している。
即ち、図３に示した原稿の読み取り状態では原稿が各ローラ対によって持ち上げられているためマイラ４が押し上げられてＣＩＳによる読み取り位置がＣＩＳガラス面から所定の高さ位置になっているが、図４においては原稿が存在しない状態であるため、空間１４を介して白基準板５の下面が直接読み取られることとなり、その際の読み取り位置は図３における原稿の読み取り高さと同じ高さ位置になる。
【０００７】
図５はゴミ検知の流れを説明するフローチャートである。図６はゴミ検知を行う構成のブロック図である。図７はゴミ検知時の波形図である。図５、図６および図７にしたがって実施の形態を説明する。
まず、利用者が画像読み取り装置Ａに原稿をセットすると、原稿検知センサ１により原稿がセットされたことを検知する（Ｓ１）。それを認識した制御部１６がＣＩＳ２の光源３を発光させて白基準板５からの反射光を読み取り、シェーディング補正を開始する（Ｓ２）。
こうして出力されたシェーディング信号はＡ／Ｄ変換器１８によりシェーディング信号をデジタル化して、複数の画素データから構成されたシェーディングデータを制御部１７に送る。この制御部１７はそのシェーディングデータをシステムコントロール回路２０内部のＲＡＭ２１に格納する。
さらに、制御部１７はシステムコントロール回路２０内部のＲＡＭ２１より、予め格納されていたシェーディングデータを引き出して、新／旧シェーディングデータを構成する画素データの数画素に渡って所定値より小さくなる画素の有無を比較する（図７、ゴミ検知時の波形図を参照）。
ここで、シェーディング結果を判断し（Ｓ３）、ＯＫの場合は、利用者が通常の操作動作にてスタートキー入力（Ｓ５）、原稿送り開始（Ｓ６）、原稿読み取り開始（Ｓ７）、原稿読み取り終了（Ｓ８）、原稿排出（Ｓ９）と順次操作手順にて終了する。
しかし、ゴミを検知した場合には、ステップ（Ｓ３）でのシェーディング結果をＮＧと判断し、「ガラスを清掃して下さい」と言うメッセージを操作部の液晶パネルに表示させる（Ｓ４）。（図７、ゴミ検知時の波形図にて所定値より小さい部分がゴミを検知した波形である）。
ここで、利用者が「ガラスを清掃して下さい」と言うメッセージに対して、ＮＯを選択した場合は操作部２２のＮＯ釦を押すことで、前フローのシェーディング結果がＯＫの場合と同様に通常の操作動作にて終了する。
しかし、利用者がＹＥＳを選択した場合は操作部２２のＹＥＳ釦を押すことでシステムコントロール回路２０は、原稿送り動作を実施することなく、原稿を待機状態とする。
【０００８】
利用者によって画像読み取り装置Ａの上ユニットが開かれ、ＣＩＳガラス面９が清掃され（Ｓ１０）、画像読み取り装置Ａの上ユニットが利用者によって閉じられると、画像読み取り装置Ａの本体が所有しているカバーオープン検知機能（図示していない）により上ユニットが閉じられたことを認識して、再シェーディング補正を開始する（Ｓ１１）。
制御部１７は再びシステムコントロール回路２０のＲＡＭ２１に新規格納されたゴミ検知したさいのシェーディングデータを引き出し、清掃後の再シェーディングデータと比較する。
そこで再度ゴミを検知した場合はシステムコントロール回路２０にてシェーディング結果がＮＧと判断し（Ｓ１２）、「ガラスを清掃して下さい」と言うメッセージ（Ｓ４）に戻る。
しかし、ステップ（Ｓ１２）の再シェーディング結果がＯＫと判断された場合は、システムコントロール回路２０より、「ゴミが取り除かれました」と言うメッセージを操作部２２の液晶パネルに表示させる（Ｓ１３）。以降は、前のフローのステップ（Ｓ３）におけるシェーディング結果がＯＫの場合と同様に通常の操作動作にて終了する。
【０００９】
【発明の効果】
以上説明したように、請求項１によれば、原稿上に付着したゴミが画像読み取り装置の白基準板に付着するのを防止することで、白基準板面が汚れたり、キズが付かないため、シェーディング補正を正しく行うことができる。
請求項２によれば、原稿をシェーディング補正した白基準板と同じ位置を搬送させることでＣＩＳ照明深度不足による読み取り障害を防止し、画情報を正しく読み取ることが可能となり、原稿搬送時による原稿浮きを防止し、画像読み取り装置のＣＩＳに密着させることが可能となる。
請求項３によれば、原稿に付着したゴミが原稿読み取り装置のＣＩＳガラス面に侵入してしまった場合、瞬時に原稿送信する前に利用者へ連絡することが可能となり、異常画像を相手先へ送信してしまう障害を未然に防止でき、さらに、利用者へ清掃にてゴミが取り除かれたことを連絡することができる。
【図面の簡単な説明】
【図１】画像読み取り装置の構成を示す概略断面図。
【図２】原稿押さえマイラと白基準板の構成を示す概略斜視図。
【図３】原稿および白基準板の位置を原稿読み取り位置において示す概略構成図。
【図４】原稿および白基準板の位置を白基準板読み取り位置において示す概略構成図。
【図５】ゴミ検知の流れを説明するフローチャート。
【図６】ゴミ検知を行う構成のブロック図。
【図７】ゴミ検知時の波形図。
【符号の説明】
Ａ  画像読み取り装置、１  原稿検知センサ、２  ＣＩＳ（密着イメージセンサ）、４  原稿押さえマイラ、５  白基準板、６  受光センサ、７  原稿搬送駆動ローラ、８  原稿搬送従動ローラ、９  ＣＩＳガラス面、１０  原稿排紙駆動ローラ、１１  原稿排紙従動ローラ、１２  押さえばね、１３  補助ばね、１４  空間（原稿押さえマイラの中央の）、１６  制御部、１７  制御部（格納手段、引き出し手段）、２０  システムントロール回路、２１  ＲＡＭ、２２  操作部
【図１】
2005033466.tif 000003
【図２】
2005033466.tif 000004
【図３】
2005033466.tif 000005
【図４】
2005033466.tif 000006
【図５】
2005033466.tif 000007
【図６】
2005033466.tif 000008
【図７】
2005033466.tif 000009